(57)【要約】【課題】調剤処方における医薬品名取り違えミスを抑制する。【解決手段】処方入力端末装置で、医薬を識別する情報を入力する識別情報入力ステップ（Ｓ１）と、識別情報入力ステップによって入力された情報に対応するそれぞれの医薬に関連する画像情報を画像データベースから抽出する抽出ステップと、抽出ステップで抽出された画像情報を処方入力端末装置に表示する処方入力端末表示ステップ（Ｓ２）と、処方入力端末表示ステップの後に、処方入力端末装置で、前記医薬の内の特定の医薬を選択して確認する選択確認ステップ（Ｓ３）と、を有する医薬処方支援方法である。【選択図】図３
2005092694.tif 000002
【特許請求の範囲】
【請求項１】
処方入力端末装置で、少なくとも１種類の医薬を識別する情報を入力する識別情報入力ステップと、
前記少なくとも１種類の医薬に関連する画像情報を画像データベースから抽出する抽出ステップと、
前記抽出ステップで抽出された画像情報を前記処方入力端末装置に表示する処方入力端末表示ステップと、
前記処方入力端末表示ステップの後に、前記処方入力端末装置で、前記少なくとも１種類の医薬の内の特定の医薬を選択し確認する選択確認ステップと、
を有する医薬処方支援方法。
【請求項２】
請求項１に記載の医薬処方支援方法において、前記選択ステップで選択された特定の医薬に関連する前記画像情報を調剤室端末装置に表示する調剤室端末表示ステップをさらに有すること、を特徴とする医薬処方支援方法。
【請求項３】
請求項１に記載の医薬処方支援方法において、前記選択ステップで選択された特定の医薬に関連する前記画像情報を処方箋の一部として紙に印刷するステップをさらに有すること、を特徴とする医薬処方支援方法。
【請求項４】
請求項１ないし３のいずれかに記載の医薬処方支援方法において、前記少なくとも１種類の医薬を識別する情報は当該医薬の医薬品名の少なくとも一部であること、を特徴とする医薬処方支援方法。
【請求項５】
請求項１ないし４のいずれかに記載の医薬処方支援方法において、前記医薬に関連する画像情報は少なくとも当該医薬の商標を含むこと、を特徴とする医薬処方支援方法。
【請求項６】
請求項５に記載の医薬処方支援方法において、前記医薬に関連する画像情報はさらに、当該医薬またはその医薬の包装の外観を含むこと、を特徴とする医薬処方支援方法。
【請求項７】
少なくとも入力部および表示部を備えた処方入力端末装置を有し、医薬を特定するデータとその医薬に関連する画像情報とを関連付けて保存する画像データベースを備えた医薬処方支援システムにおいて、
前記入力部から入力された医薬を特定するデータに基づいて前記画像データベースから当該医薬に関連する画像情報を抽出して前記表示部にこの画像情報を表示するように構成されていること、
を特徴とする医薬処方支援システム。
【請求項８】
請求項７に記載の医薬処方支援システムにおいて、
前記処方入力端末装置から離れた位置に配置された調剤室端末装置と、
通信回線を通じて、前記医薬に関連する画像情報を前記処方入力端末装置から前記調剤室端末装置に送る手段と、
前記医薬に関連する画像情報を前記調剤室端末装置に表示する手段と、
をさらに有すること、を特徴とする医薬処方支援システム。
【請求項９】
請求項７または８に記載の医薬処方支援システムにおいて、前記画像データベースは前記処方入力端末装置から離れた位置に配置され、この画像データベースと処方入力端末装置との間が通信回線で接続されていること、を特徴とする医薬処方支援システム。
【請求項１０】
医薬処方支援のためにコンピュータを、
少なくとも１種類の医薬を識別する情報を入力する識別情報入力手段、
前記少なくとも１種類の医薬に関連する画像情報を画像データベースから抽出する抽出手段、
前記抽出手段で抽出された画像情報を表示する表示手段、および
前記画像情報が表示された前記少なくとも１種類の医薬の内の特定の医薬を選択する選択手段、
として機能させるための医薬処方支援プログラム。
【請求項１１】
請求項１０に記載の医薬処方支援プログラムにおいて、医薬処方支援のためにコンピュータを、前記選択手段で選択された特定の医薬に関連する前記画像情報を調剤室端末装置に表示する調剤室端末表示手段としてさらに機能させること、を特徴とする医薬処方支援プログラム。
【請求項１２】
請求項１０に記載の医薬処方支援プログラムにおいて、医薬処方支援のためにコンピュータを、前記選択手段で選択された特定の医薬に関連する前記画像情報を処方箋の一部として紙に印刷する手段としてさらに機能させること、を特徴とする医薬処方支援プログラム。
【発明の詳細な説明】
【技術分野】
【０００１】
この発明は、医師が医薬を処方する際に利用されるコンピュータを用いた医薬処方のための支援システムおよび支援方法に関する。
【背景技術】
【０００２】
従来、病院の医師がコンピュータを用いて医薬を処方するにあたっては、通常、医師が診察室で処方入力端末装置に医薬品名を入力する。このように入力されて特定された医薬品名は、処方箋情報として、例えば病院内のＬＡＮ（ローカル・エリア・ネットワーク）を通じて調剤室の端末装置に表示され、調剤室では薬剤師が調剤室端末装置に表示された医薬品名を見て、調剤を行なう。
【発明の開示】
【発明が解決しようとする課題】
【０００３】
医薬品名の多くはカタカナで表示され、しかも類似して紛らわしい名称が多い。例えば「サクシゾン（商標）」と「サクシン（商標）」は全く別の医薬であり、「アルマール（商標）」と「アマリール（商標）」は全く別の医薬である。このため、医師が診察室で処方入力端末装置に医薬品名を入力する場合に入力ミスが発生しやすい。しかも、類似の名称であっても異なる品名の医薬は全く効能が異なることが多く、重大な医療事故を起こす可能性がある。
【０００４】
また、薬剤師が調剤室の端末装置に表示された医薬品名を見て調剤を行なう場合にも、医薬品名を取り違えて誤った調剤を行なうミスが発生しうる。  
この発明は、かかる調剤処方における医薬品名取り違えミスを防止または抑制することを目的とする。
【課題を解決するための手段】
【０００５】
この発明は上記目的を達成するものであって、請求項１に記載の発明は、処方入力端末装置で、少なくとも１種類の医薬を識別する情報を入力する識別情報入力ステップと、前記少なくとも１種類の医薬に関連する画像情報を画像データベースから抽出する抽出ステップと、前記抽出ステップで抽出された画像情報を前記処方入力端末装置に表示する処方入力端末表示ステップと、前記処方入力端末表示ステップの後に、前記処方入力端末装置で、前記少なくとも１種類の医薬の内の特定の医薬を選択し確認する選択確認ステップと、を有する方法である。
【０００６】
請求項２に記載の発明は、請求項１に記載の医薬処方支援方法において、前記選択ステップで選択された特定の医薬に関連する前記画像情報を調剤室端末装置に表示する調剤室端末表示ステップをさらに有することを特徴とする。
【０００７】
請求項３に記載の発明は、請求項１に記載の医薬処方支援方法において、前記選択ステップで選択された特定の医薬に関連する前記画像情報を処方箋の一部として紙に印刷するステップをさらに有することを特徴とする。
【０００８】
請求項４に記載の発明は、請求項１ないし３のいずれかに記載の医薬処方支援方法において、前記少なくとも１種類の医薬を識別する情報は当該医薬の医薬品名の少なくとも一部であることを特徴とする。
【０００９】
請求項５に記載の発明は、請求項１ないし４のいずれかに記載の医薬処方支援方法において、前記医薬に関連する画像情報は少なくとも当該医薬の商標を含むことを特徴とする。
【００１０】
請求項６に記載の発明は、請求項５に記載の医薬処方支援方法において、前記医薬に関連する画像情報はさらに、当該医薬またはその医薬の包装の外観を含むことを特徴とする。
【００１１】
請求項７に記載の発明は、少なくとも入力部および表示部を備えた処方入力端末装置を有し、医薬を特定するデータとその医薬に関連する画像情報とを関連付けて保存する画像データベースを備えた医薬処方支援システムにおいて、前記入力部から入力された医薬を特定するデータに基づいて前記画像データベースから当該医薬に関連する画像情報を抽出して前記表示部にこの画像情報を表示するように構成されていることを特徴とする。
【００１２】
請求項８に記載の発明は、請求項７に記載の医薬処方支援システムにおいて、前記処方入力端末装置から離れた位置に配置された調剤室端末装置と、通信回線を通じて、前記医薬に関連する画像情報を前記処方入力端末装置から前記調剤室端末装置に送る手段と、前記医薬に関連する画像情報を前記調剤室端末装置に表示する手段とをさらに有することを特徴とする。
【００１３】
請求項９に記載の発明は、請求項７または８に記載の医薬処方支援システムにおいて、前記画像データベースは前記処方入力端末装置から離れた位置に配置され、この画像データベースと処方入力端末装置との間が通信回線で接続されていることを特徴とする。
【００１４】
請求項１０に記載の発明は、医薬処方支援のためにコンピュータを、少なくとも１種類の医薬を識別する情報を入力する識別情報入力手段、前記少なくとも１種類の医薬に関連する画像情報を画像データベースから抽出する抽出手段、前記抽出手段で抽出された画像情報を表示する表示手段、および前記画像情報が表示された前記少なくとも１種類の医薬の内の特定の医薬を選択する選択手段として機能させるためのプログラムである。
【００１５】
請求項１１に記載の発明は、請求項１０に記載の医薬処方支援プログラムにおいて、医薬処方支援のためにコンピュータを、前記選択手段で選択された特定の医薬に関連する前記画像情報を調剤室端末装置に表示する調剤室端末表示手段としてさらに機能させることを特徴とする。
【００１６】
請求項１２に記載の発明は、請求項１０に記載の医薬処方支援プログラムにおいて、医薬処方支援のためにコンピュータを、前記選択手段で選択された特定の医薬に関連する前記画像情報を処方箋の一部として紙に印刷する手段としてさらに機能させることを特徴とする。
【発明の効果】
【００１７】
この発明によれば、調剤処方における医薬品名取り違えミスを抑制できる。
【発明を実施するための最良の形態】
【００１８】
以下に、本発明に係る医薬処方支援システムおよびこれを用いた医薬処方支援方法の実施の形態を説明する。  
図１は、一実施の形態を模式的に示すブロック図であって、病院の診察室２内に処方入力端末装置４が配置されている。処方入力端末装置４は、例えばパーソナルコンピュータであって、入力用のキーボードやマウス、表示部などを備えている。同じ病院内の調剤室６には調剤室端末装置８が配置されていて、処方入力端末装置４と調剤室端末装置８は病院内ＬＡＮ１０によって接続されている。調剤室端末装置８は、例えばパーソナルコンピュータであって、入力用のキーボードやマウス、表示部などを備えている。
【００１９】
なお、通常は、一つの調剤室端末装置８に対して複数の処方入力端末装置４が接続される。調剤室端末装置８および処方入力端末装置４の両方が複数あってもよい。  
調剤室６にはさらに、多数の調剤棚１２を有する調剤戸棚１４が設置されている。各調剤棚１２に医薬が配置されており、調剤棚１２ごとにその医薬を表示する商標が表示されている。ここで表示される商標は、例えば図２に示すように、単なる文字情報（名称）だけではなく、製薬企業が特定した書体や色、これに付随するマークなどを含む画像（イメージ）情報である。例えば、医薬のパッケージの商標表示部分を切り取って、調剤棚１２の見えやすい位置に貼り付ける。
【００２０】
次に、図１のシステムにおける処理手順を図３に沿って説明する。初めに、医師が診察室２内で処方入力端末装置４に医薬品名の例えば初めの３文字を入力する（ステップＳ１）。この入力に応じて、処方入力端末装置４の表示部に、入力された文字列に対応する商標画像が一覧表として表示される（ステップＳ２）。このとき処方入力端末装置４の表示部に表示される商標画像は、前記調剤棚１２に表示される商標と同様のものであって、単に文字情報（名称）だけでなく、特定の書体や色、これに付随するマークなどを含む画像情報が表示されている。このため、単なる医薬品名（文字情報）の表示に比べて入力ミスに気付きやすい。このとき、商標画像とともに医薬品名（文字情報）を同時に表示してもよい。
【００２１】
次に、医師は、この一覧表から、特定の医薬をマウスなどを用いて選択し確認する（ステップＳ３）。例えばステップＳ２で複数の医薬の商標が表示された場合、医師は、その複数の商標の中から自分が選択したい一つの医薬の商標をマウスで選択してクリックする。すると、ここで選択された商標だけが表示され、コンピュータ側から確認を求める。そこで、医師は、自分が選択しようとする医薬に間違いなければこれを確認する。すなわち、例えば表示画面上でＯＫボタンをクリックする。
【００２２】
これらの操作の際に表示画面上に医薬の商標が表示されるので、単なる医薬品名（文字情報）の表示に比べて医師が入力ミスを起こす可能性が低い。  
なお、上記ステップＳ２で、該当する医薬が１種類だけの場合は、ステップＳ３では、選択ではなく、表示された医薬でいいかどうかの確認のみとなる。
【００２３】
医師が医薬の選択・確認を行なうと、この商標画像情報を含む情報が調剤室端末装置８へ送られる（ステップＳ４）。そして、調剤室端末装置８の表示部に、特定された商標画像が表示される（ステップＳ５）。この場合も、商標画像とともに医薬品名（文字情報）を表示してもよい。また、必要に応じて、調剤室端末装置８で、処方箋として特定された医薬品の商標画像などを印刷してもよい（ステップＳ６）。
【００２４】
調剤室では、薬剤師が、この調剤室端末装置８の表示部に表示された、またはここで紙に印刷された商標画像などを見ながら、これと合致する医薬を調剤棚１２から取り出す。この場合、調剤棚１２にも調剤室端末装置８の表示部などに表示されたのと同様の商標が表示されているので、該当する医薬を取り出す作業能率が上がり、誤りの可能性が低下する。
【００２５】
以上の説明で、商標画像などを表示することとしたが、裸剤やその包装の外観画像を合わせて表示してもよい。これにより、薬剤師が誤って別の医薬を取り出す可能性を減らすことができる。
【００２６】
また、以上の説明で、医師が処方入力端末装置４に医薬品名の例えば初めの３文字を入力することとしたが、医薬品名全体を入力してもよい。さらに、医薬品には、ＹＪコード、厚生省コード、レセ電算コードなどのコードがあるので、これらのコードを入力してもよい。
【００２７】
次に、上記医薬処方支援システムの機能を実現するためのより具体的な構成例を図４を参照して説明する。すなわち、処方入力端末装置４は、通常の既存の電子カルテデータベース２０に接続されている。医師は、処方入力端末装置４を通じて、電子カルテデータベース２０を用いて電子カルテを作成する。その作業の中で、医薬処方を行なうにあたり、前記医薬処方支援システムが利用される。このとき使用される医薬の商標などの画像データは、画像データベース２２にあらかじめ保存しておく。
【００２８】
画像データベース２２の構造の例を図５に示す。画像データベース２２は、図５に示すように、医薬品名と、種々のコードと、商標画像が対応する表構造になっている。このほかに、医薬や包装の外観の画像データを含めてもよい。
【００２９】
画像データベース２２は、個々の処方入力端末装置４内に配置することも可能であるが、好ましくは、複数の処方入力端末装置４で共用できるものとして、データベースの一元管理を行なう。医薬品は、比較的短いサイクルで次々に新しいものが開発されて使用されるようになるので、データを常に新しく更新し管理していくためである。
【００３０】
図６は、図４および図５の画像データベース２２をさらに大規模に活用しやすくした構成例を示す。すなわち、この例では、共通の画像データベース２２を病院の外に置き、複数の病院で共用できるように、通信回線で接続して一元管理するものである。現在、各病院ごとに、電子カルテ、オーダリングシステム、レセコン（レセプトコンピュータ）など、種々のコンピュータ利用による医薬処方に係るシステムが存在する。これらのコンピュータシステムで取り扱われる医薬品名または医薬コードの部分に、上述の画像データベース２２による医薬商標画像を組み入れることにより、医薬品名の取り違えによる誤りを減らすことができる。  
また、画像データベース２２を病院の外に置くことにより、専門業者が画像データベース２２の更新を含めた保守・管理をしやすくなる。
【００３１】
図７は、本発明に係る医薬処方支援システムにおける図３とは異なる処理手順を示すフロー図である。ここで、図３と共通の部分には共通の符号を付して重複説明は適宜省略する。ここに示す処理手順では、図１および図４における調剤室端末装置８は使用しない。すなわち、図３の処理手順と同様に、医師が診察室２内で処方入力端末装置４に医薬品名を入力する（ステップＳ１）。この入力に応じて、該当する医薬品名に対応する商標画像などが表示される（ステップＳ２）。次に、医師は、特定の医薬を選択・確認を行なう（ステップＳ３）。図３の処理手順と同様に、商標画像などが表示されることにより、医師が医薬の特定にあたってミスを犯す可能性を減らすことができる。
【００３２】
図７の処理手順では、この後、処方入力端末装置１２で処方箋が印刷される（ステップ１０）。この処方箋には、商標画像などが含まれる。この処方箋は、例えば患者に手渡される。患者は、この処方箋を持って病院内の調剤室または外部の薬局に行ってこの処方箋を提示することにより医薬を受け取ることができる。この場合、処方箋に商標画像などが含まれていることから、単に医薬品名が記載されている場合に比べて、調剤室・薬局での調剤ミスを減らすことができる。さらに、患者側から見ても調剤ミスを見つけやすい。
【図面の簡単な説明】
【００３３】
【図１】本発明に係る医薬処方支援システムの一実施の形態を模式的に示すブロック図。
【図２】図１の医薬処方支援システムで使用される商標の例を示す表。
【図３】図１のシステムにおける処理手順を示すフロー図。
【図４】図１のシステムの機能を実現するためのより具体的な構成例を示すブロック図。
【図５】図４の画像データベースの構造の例を示す表。
【図６】図４の画像データベースの活用例を示すブロック図。
【図７】本発明に係る医薬処方支援システムにおける図３とは異なる処理手順を示すフロー図。
【符号の説明】
【００３４】
２…診察室、４…処方入力端末装置、６…調剤室、８…調剤室端末装置、１０…病院内ＬＡＮ、１２…調剤棚、１４…調剤戸棚、２０…電子カルテデータベース、２２…画像データベース。
【図１】
2005092694.tif 000003
【図２】
2005092694.tif 000004
【図３】
2005092694.tif 000005
【図４】
2005092694.tif 000006
【図５】
2005092694.tif 000007
【図６】
2005092694.tif 000008
【図７】
2005092694.tif 000009